(57)【要約】【課題】呼の種類に対応した通話開始タイミングをユーザに通知すること。【解決手段】本開示の一側面に係る呼制御システムは、付加サービスを伴う呼を発信端末と着信端末との間で確立することが可能である。この呼制御システムは判定部および通知部を備える。判定部は、発信端末からの呼確立要求信号に応答して、要求された呼の種類を判定する。呼の種類は、付加サービスに関連して第１再生時間の第１メッセージが再生される第１呼と、付加サービスに関連して第２再生時間の第２メッセージが再生される第２呼とを含む。通知部は、判定された呼の種類に対応する再生時間に基づく通話開始タイミングを、発信端末および着信端末のうちの少なくとも一つの通信端末上に表示させるために、該通話開始タイミングを示すタイミング情報を該少なくとも一つの通信端末に送信する。【選択図】図２
2020096295.tif 000002
【特許請求の範囲】
【請求項１】
付加サービスを伴う呼を発信端末と着信端末との間で確立することが可能な呼制御システムであって、
前記発信端末からの呼確立要求信号に応答して、要求された呼の種類を判定する判定部であって、呼の種類が、前記付加サービスに関連して第１再生時間の第１メッセージが再生される第１呼と、前記付加サービスに関連して第２再生時間の第２メッセージが再生される第２呼とを含む、該判定部と、
判定された前記呼の種類に対応する再生時間に基づく通話開始タイミングを、前記発信端末および前記着信端末のうちの少なくとも一つの通信端末上に表示させるために、該通話開始タイミングを示すタイミング情報を該少なくとも一つの通信端末に送信する通知部と
を備える呼制御システム。
【請求項２】
前記第１メッセージおよび前記第２メッセージのそれぞれが、前記発信端末で再生される発側メッセージと、前記着信端末で再生される着側メッセージとを含み、
前記通知部が、
前記発側メッセージの再生時間と前記着側メッセージの再生時間との双方に基づいて前記通話開始タイミングを設定し、
設定された前記通話開始タイミングを前記少なくとも一つの通信端末上に表示させるために、該通話開始タイミングを示す前記タイミング情報を該少なくとも一つの通信端末に送信する、
請求項１に記載の呼制御システム。
【請求項３】
前記通知部が、前記発側メッセージの再生時間と前記着側メッセージの再生時間とのうち長い方の再生時間に基づいて前記通話開始タイミングを設定する、
請求項２に記載の呼制御システム。
【請求項４】
前記発信端末および前記着信端末のうちの一方が第１通信端末であり、前記発信端末および前記着信端末のうちの他方が第２通信端末であり、
前記通知部が、
前記第１通信端末でのメッセージの再生に関する操作に応答して、該操作に伴って変更される前記通話開始タイミングを取得し、
前記変更される通話開始タイミングを、前記第１通信端末および前記第２通信端末のうちの少なくとも一つの通信端末上に表示させるために、該変更される通話開始タイミングを示す追加のタイミング情報を該少なくとも一つの通信端末に送信する、
請求項１〜３のいずれか一項に記載の呼制御システム。
【発明の詳細な説明】
【技術分野】
【０００１】
本開示の一側面は呼制御システムに関する。
【背景技術】
【０００２】
付加サービスを伴う呼の制御に関して、その呼を介した通話を開始できるタイミングを発信者および着信者の少なくとも一方に知らせる仕組みが知られている。例えば、特許文献１には、データ通信が完了するまでの残り時間が予め設定した所定時間以内である場合には、音声通話要求者に対して待機する旨を通知してデータ通信完了後に音声通話開始可能であることを通知する無線通信システムが記載されている。
【先行技術文献】
【特許文献】
【０００３】
【特許文献１】特開２０１２−１０１１５号公報
【発明の概要】
【発明が解決しようとする課題】
【０００４】
複数種類の呼を処理する可能性がある呼制御システムでは、付加サービスを伴う呼の種類に応じて通話開始タイミングが異なることがあり得る。そのため、呼の種類に対応した通話開始タイミングをユーザに通知することが望まれる。
【課題を解決するための手段】
【０００５】
本開示の一側面に係る呼制御システムは、付加サービスを伴う呼を発信端末と着信端末との間で確立することが可能である。この呼制御システムは判定部および通知部を備える。判定部は、発信端末からの呼確立要求信号に応答して、要求された呼の種類を判定する。呼の種類は、付加サービスに関連して第１再生時間の第１メッセージが再生される第１呼と、付加サービスに関連して第２再生時間の第２メッセージが再生される第２呼とを含む。通知部は、判定された呼の種類に対応する再生時間に基づく通話開始タイミングを、発信端末および着信端末のうちの少なくとも一つの通信端末上に表示させるために、該通話開始タイミングを示すタイミング情報を該少なくとも一つの通信端末に送信する。
【０００６】
このような側面においては、要求された呼の種類に対応するメッセージの再生時間に基づく通話開始タイミングが発信端末および着信端末のうちの少なくとも一つに通知され、その通知を受けた通信端末上で表示される。この仕組みによって、呼の種類に対応した通話開始タイミングをユーザに通知することができる。
【発明の効果】
【０００７】
本開示の一側面によれば、呼の種類に対応した通話開始タイミングをユーザに通知することができる。
【図面の簡単な説明】
【０００８】
【図１】実施形態に係る呼制御システムの全体構成の一例を示す図である（第１実施形態）。
【図２】実施形態に係る発側ＡＳの機能構成の一例を示す図である。
【図３】実施形態に係る呼制御システムの動作の一例を示すシーケンス図である（第１実施形態）。
【図４】実施形態に係る呼制御システムの動作の一例を示すシーケンス図である（第１実施形態）。
【図５】実施形態に係る呼制御システムの全体構成の別の例を示す図である（第２実施形態）。
【図６】実施形態に係る呼制御システムの動作の一例を示すシーケンス図である（第２実施形態）。
【図７】実施形態に係る呼制御システムの動作の一例を示すシーケンス図である（第２実施形態）。
【図８】実施形態に係る通信制御装置（例えば発側ＡＳ）に用いられるコンピュータのハードウェア構成の一例を示す図である。
【発明を実施するための形態】
【０００９】
以下、添付図面を参照しながら本開示での実施形態を詳細に説明する。なお、図面の説明において同一または同等の要素には同一の符号を付し、重複する説明を省略する。
【００１０】
呼制御システムは、発信端末と着信端末との間の呼を制御するコンピュータシステムである。呼とは発信端末と着信端末との間で一時的に占有される通信経路のことをいう。発信端末とは最初に呼接続を要求する通信端末のことをいい、着信端末とはその呼接続要求に応答する通信端末のことをいう。これら二つの通信端末間で呼が確立されることで、発信者（発信端末のユーザ）および着信者（着信端末のユーザ）は会話することができる。通話とは、発信端末と着信端末との間で送受信される音声を意味し、また、発信端末と着信端末との間での音声の送受信も意味する。
【００１１】
本実施形態では、呼制御システムは、接続された呼に関連する任意のサービス機能を付加サービスとして提供することができる。付加サービスの例として、発信端末と着信端末との間の通話をテキストに変換して、変換されたテキストを発信端末および着信端末の少なくとも一方に表示させる音声テキスト化サービス（これは音声認識サービスともいう。）が挙げられる。しかし、付加サービスはこれに限定されるものではなく、呼制御システムは任意の付加サービスを提供してよい。
【００１２】
（第１実施形態）
図１は第１実施形態に係る呼制御システム１の全体構成を示す図である。呼制御システム１は、発信端末３１が在圏する発側ネットワーク２１と、着信端末３２が在圏する着側ネットワーク２２と、発側ネットワーク２１および着側ネットワーク２２を接続するコアネットワーク１０とを備える。呼制御システム１では、複数の装置および端末の間で制御信号が伝送されることで呼（通信経路）が確立され、音声を示すデータ信号がその呼を介して伝送されることで、通話が可能になる。
【００１３】
発信端末３１および着信端末３２はいずれも、通話機能を有する通信端末である。発信端末３１および着信端末３２のそれぞれは固定端末でもよいし携帯端末でもよい。発信端末３１および着信端末３２の例として、携帯電話機、スマートフォン、タブレット端末、ウェアラブル端末、またはパーソナルコンピュータが挙げられるが、端末の種類はこれらに限定されない。発信端末３１と着信端末３２とで端末の種類が同じでもよいし異なってもよい。
【００１４】
発側ネットワーク２１および着側ネットワーク２２はいずれも、端末が直接に接続するアクセスネットワークである。アクセスネットワークの構成は限定されない。例えば、アクセスネットワークは任意の無線ネットワークまたは有線ネットワークであってもよい。発側ネットワーク２１と着側ネットワーク２２との間でアクセスネットワークの種類（プロトコル）が同じでもよいし異なってもよい。
【００１５】
コアネットワーク１０は、呼制御システム１の中核を成すネットワークであり、様々な通信制御装置を備える。本実施形態では、コアネットワーク１０はＩＭＳネットワークであるとする。ＩＭＳネットワークは、通信プロトコルとしてＳＩＰを用い、データ通信だけでなく音声または動画のリアルタイム通信を実現するマルチメディアサービスを提供できるネットワークである。ＩＭＳネットワークでは、呼セッション制御機能（ＣＳＣＦ：Ｃａｌｌ  Ｓｅｓｓｉｏｎ  Ｃｏｎｔｒｏｌ  Ｆｕｎｃｔｉｏｎ）、アプリケーションサーバ（ＡＳ：Ａｐｐｌｉｃａｔｉｏｎ  Ｓｅｒｖｅｒ）、ゲートウェイ、加入者管理機能（ＨＳＳ：Ｈｏｍｅ  Ｓｕｂｓｃｒｉｂｅｒ  Ｓｅｒｖｅｒ）などの複数の通信制御装置により呼が処理される。ＣＳＣＦは、呼またはセッションを設定したり、予め定められたサービスを起動したりする呼制御装置である。アプリケーションサーバは、予め定められた付加サービス（例えば、音声テキスト化サービス）を実行したり、その付加サービスの実行の可否を判定したりする装置である。ゲートウェイは、アクセスネットワークとコアネットワークとを接続する装置である。ＨＳＳはユーザのプロファイル（加入者情報）を記憶する装置（データベース）である。
【００１６】
図１は、付加サービスを伴う呼の制御に特に関連する通信制御装置を示し、具体的には、発側ＣＳＣＦ１１、着側ＣＳＣＦ１２、発側ＡＳ１３、着側ＡＳ１４、発側ＭＣＥ１５、および発側ＳＭＳ−ＧＷ１６を示す。
【００１７】
発側ＣＳＣＦ１１および着側ＣＳＣＦ１２はいずれも、発信端末３１と着信端末３２とを通信接続するための呼制御を実行する。発側ＣＳＣＦ１１と着側ＣＳＣＦ１２との間で制御信号およびデータ信号（例えば音声データ）が送受信されることで、発側と着側とが相互に接続される。発側ＡＳ１３は発側のアプリケーションサーバであり、着側ＡＳ１４は着側のアプリケーションサーバである。発側ＭＣＥ（Ｍｅｄｉａ  Ｃｏｍｐｏｓｉｔｉｏｎ  Ｅｎａｂｌｅｒ）１５は通話の付加機能を提供するメディア処理装置である。発側ＳＭＳ−ＧＷ（ＳＭＳゲートウェイ）１６はコアネットワークと他のネットワークとを接続するゲートウェイの一種であり、ショートメッセージサービス（ＳＭＳ）を提供する装置である。発側ＭＣＥ１５および発側ＳＭＳ−ＧＷ１６はいずれも、発側ＡＳ１３と連携して付加サービスを実行する。発側ＭＣＥ１５および発側ＳＭＳ−ＧＷ１６はいずれも発側に位置する。
【００１８】
図１はさらに発側Ｗｅｂサーバ４１を示す。発側Ｗｅｂサーバ４１は、付加サービスに関連する処理を実行するサービス基盤の少なくとも一部を構成するコンピュータである。発側Ｗｅｂサーバ４１はコアネットワーク１０とは別の通信ネットワーク内に設けられ、発信端末３１および発側ＡＳ１３のそれぞれとデータ通信を実行することができる。発側Ｗｅｂサーバ４１も、発側ＡＳ１３と連携して付加サービスを実行する。発信端末３１は発側Ｗｅｂサーバ４１と接続することで付加サービスを発信者に提供することができる。付加サービスを実行するために、発側Ｗｅｂサーバ４１は必要に応じて、付加サービスの主たる処理を実行するサービスエンジン（図示せず）と通信接続する。付加サービスが音声テキスト化サービスであれば、サービスエンジンは、音声認識を用いて音声をテキストに変換する音声認識エンジンであり、発側Ｗｅｂサーバ４１はその音声認識エンジンと通信接続して発信端末３１に音声テキスト化サービスを提供する。
【００１９】
図１に示す各装置は、少なくとも一つのコンピュータを用いて構成される。複数のコンピュータが用いられる場合には、これらのコンピュータが通信ネットワークを介して相互に接続することで、論理的に一つの装置が構築される。
【００２０】
図２は、本実施形態で特に説明する発側ＡＳ１３の機能構成の一例を示す図である。発側ＡＳ１３は機能要素としてサービス制御部１３１を備える。サービス制御部１３１は、発信端末３１と着信端末３２との間の呼に対応する付加サービスに関連する処理を実行する機能要素である。サービス制御部１３１は呼判定部１３２およびメッセージ制御部１３３を備える。
【００２１】
呼判定部１３２は、呼確立要求信号に応答して、発信端末３１から要求された呼の種類を判定する機能要素である。呼制御システム１で用いられる呼の種類は限定されず、任意の基準で設定されてよい。本実施形態では呼の種類として緊急呼および一般呼を例示する。緊急呼とは警察、消防、救急などの緊急対応機関に接続される呼のことをいい、一般呼とは緊急呼以外の呼のことをいう。
【００２２】
メッセージ制御部１３３は、通話開始タイミングを通信端末上に表示させるために、該通話開始タイミングを示すタイミング情報をその通信端末に送信する機能要素である。したがって、メッセージ制御部１３３は通知部として機能する。「タイミング情報を通信端末に送信する」とは、タイミング情報が最終的に通信端末によって受信される送信のことをいう。したがって、タイミング情報は通信端末に直接に送信されてもよいし、他のコンピュータまたは通信機器を経由して通信端末に送信されてもよい。
【００２３】
通話開始タイミングとは、付加サービスに関連するメッセージの再生が通信端末において終了してユーザが相手と通話を開始できるタイミングのことをいう。「メッセージの再生」とは、メッセージを音声として出力する処理のことをいう。付加サービスに関連するメッセージは音声信号として通信端末に送信され、通信端末はそのメッセージをスピーカから出力する。したがって、付加サービスに関連するメッセージは音声メッセージであり、ユーザはその音声メッセージを聴覚的に認識することができる。メッセージの内容は何ら限定されない。例えば、メッセージは、付加サービスが提供されることを事前にユーザに知らせたり、付加サービスの内容を事前に説明したりするためのガイダンスであってもよい。付加サービスに関連するメッセージ（音声メッセージ）が発信端末３１および着信端末３２の少なくとも一つで再生されている間は、発信者および着信者は互いに会話することができず、彼らは通話開始タイミングが到来した時点から会話することができる。タイミング情報は通話開始タイミングをユーザ（発信者および着信者の少なくとも一方）に視覚的に認識させるために用いられる。通話開始タイミングが通信端末のモニタ上に表示されることで、ユーザはいつから通話できるかを知ることができる。
【００２４】
呼制御システム１は、複数種類の呼を制御することができる。呼の種類は、付加サービスに関連して第１再生時間の第１メッセージが再生される第１呼と、付加サービスに関連して第２再生時間の第２メッセージが再生される第２呼とを含む。「第１メッセージ（または第２メッセージ）が再生される」とは、第１メッセージ（または第２メッセージ）が発信端末および着信端末のうちの少なくとも一つの通信端末で再生されることをいう。第１再生時間と第２再生時間とは互いに異なる。すなわち、付加サービスに関連するメッセージの再生時間は呼の種類によって異なり、したがって、通話開始タイミングも呼の種類によって異なる。例えば、一般呼の場合には１５秒間のメッセージＭａが通信端末で再生され、緊急呼の場合には７秒間のメッセージＭｂが通信端末で再生されてもよい。この例では、一般呼の場合には、１５秒後に通話を開始できることを示す通話開始タイミングが発信端末および着信端末のうちの少なくとも一つの通信端末上に表示される。緊急呼の場合には、７秒後に通話を開始できることを示す通話開始タイミングが発信端末および着信端末のうちの少なくとも一つの通信端末上に表示される。
【００２５】
図３および図４を参照しながら、本実施形態に係る呼制御システム１の動作の例を説明する。図３および図４はいずれも呼制御システム１の動作の一例を示すシーケンス図である。図３は、付加サービスを伴う呼を確立する処理の一例を示す。図４は、通話開始タイミングをユーザに伝える処理の一例を示す。理解を容易にするために、図３および図４では、通話および付加サービスの制御に特に関係する構成要素、処理、およびデータ信号に限って示す。
【００２６】
まず、図３を参照しながら、付加サービスを伴う呼を確立する処理の一例を処理フローＳ１として説明する。
【００２７】
ステップＳ１０１では、発信端末３１が発信者の発信操作に応じてＩＮＶＩＴＥメッセージを送信し、発側ＣＳＣＦ１１がそのＩＮＶＩＴＥメッセージを発側ＡＳ１３に転送する。ＩＮＶＩＴＥメッセージは、発信端末３１と着信端末３２との間に呼（セッション）を確立するために伝送される制御信号（呼確立要求信号）である。このＩＮＶＩＴＥメッセージは発側ネットワーク２１を経由してコアネットワーク１０に入る。コアネットワーク１０では、発側ＣＳＣＦ１１がそのＩＮＶＩＴＥメッセージを発側ＡＳ１３に転送する。
【００２８】
ステップＳ１０２では、サービス制御部１３１がそのＩＮＶＩＴＥメッセージに応答して発信端末３１（発信者）のために付加サービスを起動する。サービス制御部１３１は加入者管理機能にアクセスして発信者の加入者情報を参照し、発信者が付加サービスを契約しているか否かを判定する。発信者が付加サービスを契約している場合に、サービス制御部１３１はサービスを起動する。本実施形態では、発信者が付加サービスの契約者であることを前提とする。
【００２９】
ステップＳ１０３では、呼判定部１３２がそのＩＮＶＩＴＥメッセージに応答して、発信端末３１から要求された呼の種類を判定する。例えば、呼判定部１３２はＩＮＶＩＴＥメッセージ内のＲｅｑｕｅｓｔ−ＵＲＩ（ＵＲＩはＵｎｉｆｏｒｍ  Ｒｅｓｏｕｒｃｅ  Ｉｄｅｎｔｉｆｉｅｒの略である。）を参照することで呼の種類を判定してもよい。具体的には、呼判定部１３２は、緊急呼を示すＳＯＳ  ＵＲＮ（ＵＲＮはＵｎｉｆｏｒｍ  Ｒｅｓｏｕｒｃｅ  Ｎａｍｅの略である。）をＲｅｑｕｅｓｔ−ＵＲＩが含む場合に、緊急呼が要求されていると判定し、Ｒｅｑｕｅｓｔ−ＵＲＩがＳＯＳ  ＵＲＮを含まない場合に、一般呼が要求されていると判定してもよい。呼判定部１３２は判定した呼の種類を後続の処理のために保持する。
【００３０】
ステップＳ１０４では、サービス制御部１３１が発側ＳＭＳ−ＧＷ１６にプッシュ通知を送信し、ステップＳ１０５では、発側ＳＭＳ−ＧＷ１６がそのプッシュ通知に応答して発信端末３１にプッシュ要求を送信する。プッシュ要求は、発信端末３１が発側Ｗｅｂサーバ４１から付加サービスを受けるために必要な情報（例えばデバイストークンなど）を含み、プッシュ通知は、そのプッシュ要求を構成する情報の少なくとも一部を含む。
【００３１】
ステップＳ１０６では、サービス制御部１３１が発側ＭＣＥ１５との接続のためにＩＮＶＩＴＥメッセージを発側ＭＣＥ１５に送信する。発側ＭＣＥ１５はそのＩＮＶＩＴＥメッセージに応答して付加サービスのための処理を実行した後に、ステップＳ１０７において２００＿ＯＫメッセージを送信する。２００＿ＯＫメッセージは、ＩＮＶＩＴＥメッセージに対応する処理が正常に実行されたことを示す応答信号である。すなわち、２００＿ＯＫメッセージはＩＮＶＩＴＥメッセージに対応する成功応答信号である。
【００３２】
ステップＳ１０８では、サービス制御部１３１が発側ＣＳＣＦ１１にＩＮＶＩＴＥメッセージを返し、ステップＳ１０９では、発側ＣＳＣＦ１１がそのＩＮＶＩＴＥメッセージを着信端末３２に向けて送信する。ＩＮＶＩＴＥメッセージは発側ＣＳＣＦ１１から着側ＣＳＣＦ１２に転送され、最終的に、着側ＣＳＣＦ１２から着側ネットワーク２２を経由して着信端末３２に送信される。着信端末３２がそのＩＮＶＩＴＥメッセージを受信することで、着信端末３２に対する呼出処理が完了する。
【００３３】
ステップＳ１１０では、着信者が電話に出たことに応答して、着信端末３２が２００＿ＯＫメッセージを送信し、この２００＿ＯＫメッセージが着側ネットワーク２２、コアネットワーク１０、および発側ネットワーク２１を介して発信端末３１に到達する。コアネットワーク１０では、発側ＣＳＣＦ１１は着側ＣＳＣＦ１２から受信した２００＿ＯＫメッセージを発側ＡＳ１３に転送する。発側ＡＳ１３では、サービス制御部１３１がそのメッセージを処理して、最後に２００＿ＯＫメッセージを発側ＣＳＣＦ１１に返す。発側ＣＳＣＦ１１はその２００＿ＯＫメッセージを発信端末３１に転送する。発信端末３１が２００＿ＯＫメッセージを受信することで、発信端末３１と着信端末３２との間に、データ信号を伝送するためのＵ−Ｐｌａｎｅ（ユーザ・プレイン）のバスが確立される。すなわち、発信端末３１と着信端末３２との間に呼が確立される。
【００３４】
ステップＳ１２０では、発信端末３１が２００＿ＯＫメッセージに応答してＡＣＫメッセージを送信し、このＡＣＫメッセージが発側ネットワーク２１、コアネットワーク１０、および着側ネットワーク２２を介して着信端末３２に到達する。コアネットワーク１０では、発側ＣＳＣＦ１１は発信端末３１から受信したＡＣＫメッセージを発側ＡＳ１３に転送する。発信端末３１から発側ＡＳ１３へのＡＣＫメッセージの伝送を特にステップＳ１２１として示す。発側ＡＳ１３では、サービス制御部１３１がそのメッセージを処理して、最後にＡＣＫメッセージを発側ＣＳＣＦ１１に返す。発側ＣＳＣＦ１１はそのＡＣＫメッセージを着信端末３２に向けて転送する。着信端末３２がＡＣＫメッセージを受信することで、発信端末３１と着信端末３２との間で通話が可能になる。
【００３５】
次に、図４を参照しながら、通話開始タイミングをユーザに伝える処理の一例を処理フローＳ２として説明する。
【００３６】
ステップＳ２０１では、発信端末３１が付加サービスのためのアプリケーションプログラムを起動するために接続要求を発側Ｗｅｂサーバ４１に送信する。接続要求は発信端末３１と発側Ｗｅｂサーバ４１との間に通信接続を確立するためのデータ信号であり、プッシュ要求により提供された情報の少なくとも一部（例えば、発信端末３１のデバイストークン）を含む。
【００３７】
ステップＳ２０２では、発側Ｗｅｂサーバ４１と発側ＡＳ１３のサービス制御部１３１との間で、発信者を認証するための処理が実行される。発側Ｗｅｂサーバ４１は、接続要求により提供された情報の少なくとも一部（例えば、発信端末３１のデバイストークン）を含む認証要求を発側ＡＳ１３に送信する。サービス制御部１３１はその認証要求に応答して認証処理を実行する。例えば、サービス制御部１３１はデバイストークンが有効か否かを検査する。サービス制御部１３１はその処理結果を発側Ｗｅｂサーバ４１に送信する。本実施形態では、発信者が認証されることを前提とする。
【００３８】
ステップＳ２０３では、発信端末３１が付加サービスのためのアプリケーションプログラムを起動させて起動信号を発側Ｗｅｂサーバ４１に送信する。起動信号はそのアプリケーションプログラムを実行するためのデータ信号である。
【００３９】
ステップＳ２０４では、発側Ｗｅｂサーバ４１がその起動信号に応答して発側ＡＳ１３にアプリケーション起動通知を送信する。発側ＡＳ１３ではサービス制御部１３１がそのアプリケーション起動通知に基づいて、付加サービスに関する処理を実行する。
【００４０】
ステップＳ２０５では、発信端末３１が、発信者が付加サービスの利用に同意することを示す同意信号を発側Ｗｅｂサーバ４１に送信する。
【００４１】
ステップＳ２０６では、発側Ｗｅｂサーバ４１がその同意信号に応答して発側ＡＳ１３にサービス同意通知を送信する。このサービス同意通知は発信者の同意を示す。発側ＡＳ１３ではサービス制御部１３１がそのサービス同意通知に基づいて、付加サービスに関する処理を実行する。
【００４２】
上述したステップＳ１２１において発信端末３１から発側ＡＳ１３にＡＣＫメッセージが伝送されると、ステップＳ２０７においてメッセージ制御部１３３が、発信端末３１で再生させるメッセージを決定する。メッセージ制御部１３３は、呼判定部１３２で判定された呼の種類に対応するメッセージを決定する。例えば、メッセージ制御部１３３は、呼の種類と、メッセージと、再生時間とが互いに関連付けられたレコードを記憶するテーブルを参照して、判定された呼の種類に対応するメッセージを決定する。例えば、そのテーブルが、「一般呼」、メッセージＭａ、および再生時間「１５秒」を含むレコードと、「緊急呼」、メッセージＭｂ、および再生時間「７秒」を含むレコードとを記憶しているとする。この前提で、要求された呼が一般呼であると判定された場合には、メッセージ制御部１３３はメッセージＭａを再生すると決定し、さらに、メッセージＭａの再生時間が１５秒であることを特定する。要求された呼が緊急呼であると判定された場合には、メッセージ制御部１３３はメッセージＭｂを再生すると決定し、さらに、メッセージＭｂの再生時間が７秒であることを特定する。
【００４３】
ステップＳ２０８では、メッセージ制御部１３３が、決定されたメッセージを発信端末３１で再生させるためのメッセージ指示を発側ＭＣＥ１５に送信する。このメッセージ指示は、決定されたメッセージを特定するために必要な情報を含む。
【００４４】
ステップＳ２０９では、メッセージ制御部１３３が、決定されたメッセージに対応するタイミング情報（言い換えると、判定された呼の種類に対応するタイミング情報）を発信端末３１に送信する。発信端末３１上で通話開始タイミングを表示することができる限り、タイミング情報に含まれるデータ項目は限定されない。例えば、通話開始タイミングは、メッセージの再生時間を含んでもよく、メッセージの種類をさらに含んでもよい。メッセージの種類は、例えば緊急呼用のメッセージか一般呼用のメッセージかを示す情報であってもよい。本実施形態では、メッセージ制御部１３３はタイミング情報を発側Ｗｅｂサーバ４１経由で発信端末３１に送信する。すなわち、メッセージ制御部１３３はタイミング情報を発側Ｗｅｂサーバ４１に送信し、発側Ｗｅｂサーバ４１がそのタイミング情報を発信端末３１に転送する。この処理によって、メッセージ制御部１３３から発信端末３１へのタイミング情報の送信が実現する。発信端末３１はそのタイミング情報を受信する。
【００４５】
ステップＳ２１０では、発信端末３１がそのタイミング情報に基づいて、通話開始タイミングをモニタ上に表示する。通話開始タイミングの表示方法は限定されない。例えば、発信端末３１は通話が開始できる時点までの残りの秒数をカウントダウン形式で表示してもよいし、単にメッセージの再生時間を表示してもよい。発信端末３１は通話開始タイミングを文字、グラフィックス、これらの組合せなどの任意の形式で表示してよい。
【００４６】
ステップＳ２１１では、発側ＭＣＥ１５が、発側ＡＳ１３からのメッセージ指示（ステップＳ２０８）に従って、付加サービスに関するメッセージを発信端末３１に送信する。発信端末３１はそのメッセージを再生し、これにより発信者はそのメッセージを聞き取ることができる。
【００４７】
発信者がメッセージを聞き取ることができるのであれば、発信者はメッセージを聞いただけでも通話開始タイミングを知ることができる。しかし、発信者の聴覚に障碍があったり、周囲の騒音が大きかったりするなどの理由で、発信者がメッセージを確実に聞き取ることができない場面が生じ得る。このような場合でも、呼の種類に対応した通話開始タイミングが発信端末３１上に表示されるので、発信者は視覚を通じて通話開始タイミングを知ることができる。
【００４８】
（第２実施形態）
本開示は、発側または着側のいずれか一方が双方の側での付加サービスを統括的に実行する呼制御システムに適用されてもよい。この適用の一例を第２実施形態として説明する。以下では、第１実施形態と異なる点を特に説明する。
【００４９】
図５は第２実施形態に係る呼制御システム１Ａの全体構成を示す図である。呼制御システム１Ａは、第１実施形態に係る呼制御システム１の一つの変形例であるということができる。呼制御システム１Ａは発側ネットワーク２１および着側ネットワーク２２を接続するコアネットワーク１０Ａを備える。図５では、コアネットワーク１０Ａの構成要素として、第１実施形態で説明した通信制御装置群に加えて着側ＭＣＥ１７および着側ＳＭＳ−ＧＷ１８を示す。着側ＭＣＥ１７は着側のメディア処理装置であり、着側ＳＭＳ−ＧＷ１８は着側のＳＭＳゲートウェイである。着側ＭＣＥ１７および着側ＳＭＳ−ＧＷ１８はいずれも、着側ＡＳ１４と連携して付加サービスを実行する。着側ＭＣＥ１７および着側ＳＭＳ−ＧＷ１８はいずれも着側に位置する。
【００５０】
図５はさらに着側Ｗｅｂサーバ４２を示す。着側Ｗｅｂサーバ４２は、付加サービスに関連する処理を実行するサービス基盤の少なくとも一部を構成するコンピュータである。着側Ｗｅｂサーバ４２はコアネットワーク１０Ａとは別の通信ネットワーク内に設けられ、着信端末３２および着側ＡＳ１４のそれぞれとデータ通信を実行することができる。着側Ｗｅｂサーバ４２も、着側ＡＳ１４と連携して付加サービスを実行する。着信端末３２は着側Ｗｅｂサーバ４２と接続することで付加サービスを着信者に提供することができる。
【００５１】
図６および図７を参照しながら、本実施形態に係る呼制御システム１Ａの動作の例を説明する。図６および図７はいずれも呼制御システム１Ａの動作の一例を示すシーケンス図である。図６は、付加サービスを伴う呼を確立する処理の一例を示す。図７は、通話開始タイミングをユーザに伝える処理の一例を示す。理解を容易にするために、図６および図７では、通話および付加サービスの制御に特に関係する構成要素、処理、およびデータ信号に限って示す。
【００５２】
まず、図６を参照しながら、付加サービスを伴う呼を確立する処理の一例を処理フローＳ３として説明する。ステップＳ３０１〜Ｓ３０７の処理は、処理フローＳ１でのステップＳ１０１〜Ｓ１０７と同じである。
【００５３】
ステップＳ３０８では、サービス制御部１３１が着側ＡＳ１４に向けてＩＮＶＩＴＥメッセージを送信する。サービス制御部１３１は、ＩＮＶＩＴＥメッセージのヘッダ情報に、発側ＭＣＥ１５を一意に特定するための識別子である発側メディア装置ＩＤと、発側で付加サービスが実行されることを示す発側サービス情報とを付加する。そして、サービス制御部１３１は発側メディア装置ＩＤおよび発側サービス情報を含むＩＮＶＩＴＥメッセージを送信する。このＩＮＶＩＴＥメッセージは発側ＣＳＣＦ１１および着側ＣＳＣＦ１２を経由して着側ＡＳ１４に到達する。
【００５４】
ステップＳ３０９では、着側ＡＳ１４がそのＩＮＶＩＴＥメッセージに応答して着信端末３２（着信者）のために付加サービスを起動する。着側ＡＳ１４は加入者管理機能にアクセスして着信者の加入者情報を参照し、着信者が付加サービスを契約しているか否かを判定する。着信者が付加サービスを契約している場合に、着側ＡＳ１４はサービスを起動する。本実施形態では、着信者が付加サービスの契約者であることを前提とする。
【００５５】
ステップＳ３１０では、着側ＡＳ１４が着側ＳＭＳ−ＧＷ１８にプッシュ通知を送信し、ステップＳ３１１では、着側ＳＭＳ−ＧＷ１８がそのプッシュ通知に応答して着信端末３２にプッシュ要求を送信する。プッシュ要求は、着信端末３２が着側Ｗｅｂサーバ４２から付加サービスを受けるために必要な情報（例えば、着信端末３２のデバイストークンなど）を含み、プッシュ通知は、そのプッシュ要求を構成する情報の少なくとも一部を含む。
【００５６】
ステップＳ３１２では、着側ＡＳ１４が着側ＭＣＥ１７との接続のためにＩＮＶＩＴＥメッセージを着側ＭＣＥ１７に送信する。着側ＭＣＥ１７はそのＩＮＶＩＴＥメッセージに応答して付加サービスのための処理を実行する。着側ＭＣＥ１７はＩＮＶＩＴＥメッセージ内の発側メディア装置ＩＤおよび発側サービス情報を参照することで、発側で付加サービスが実行されることと、発側ＭＣＥ１５がそのサービスを実行することとを認識する。この認識に基づいて、着側ＭＣＥ１７は付加サービスに関連する処理を発側に委ね、自機ではその処理を実行しない。ただし、着側ＭＣＥ１７と着側ＡＳ１４との間の接続は、呼が切断されるまで維持される。ステップＳ３１３では、着側ＭＣＥ１７が２００＿ＯＫメッセージを着側ＡＳ１４に送信する。
【００５７】
ステップＳ３１４では、着側ＡＳ１４がＩＮＶＩＴＥメッセージを着信端末３２に向けて送信する。着信端末３２がそのＩＮＶＩＴＥメッセージを受信することで、着信端末３２に対する呼出処理が完了する。
【００５８】
ステップＳ３１５では、着信者が電話に出たことに応答して、着信端末３２が２００＿ＯＫメッセージを送信し、この２００＿ＯＫメッセージが着側ネットワーク２２および着側ＣＳＣＦ１２を経由して着側ＡＳ１４に到達する。
【００５９】
ステップＳ３１６では、着側ＡＳ１４が２００＿ＯＫメッセージを発側ＡＳ１３に向けて送信する。着側ＡＳ１４は、２００＿ＯＫメッセージのヘッダ情報に、着側ＭＣＥ１７を一意に特定するための識別子である着側メディア装置ＩＤと、着側で付加サービスが実行されることを示す着側サービス情報とを付加する。そして、着側ＡＳ１４は着側メディア装置ＩＤおよび着側サービス情報を含む２００＿ＯＫメッセージを送信する。この２００＿ＯＫメッセージは着側ＣＳＣＦ１２および発側ＣＳＣＦ１１を経由して発側ＡＳ１３に到達する。
【００６０】
ステップＳ３１７では、サービス制御部１３１がその２００＿ＯＫメッセージを発側ＭＣＥ１５に送信する。発側ＭＣＥ１５はその２００＿ＯＫメッセージ内の着側メディア装置ＩＤおよび着側サービス情報を参照することで、着側でも付加サービスが実行されることを認識する。この認識に基づいて、発側ＭＣＥ１５は、発側および着側の双方に共通のメディア処理装置として機能し、付加サービスを実行するために発信端末３１からの音声データと着信端末３２からの音声データとを処理する。このように、発側ＡＳ１３は発側ＭＣＥ１５を共通のメディア処理装置として機能させる。ステップＳ３１８では、発側ＭＣＥ１５が２００＿ＯＫメッセージを発側ＡＳ１３に返し、ステップＳ３１９では、発側ＡＳ１３がその２００＿ＯＫメッセージを発信端末３１に向けて送信する。２００＿ＯＫメッセージは発側ＣＳＣＦ１１および発側ネットワーク２１を経由して発信端末３１に到達する。
【００６１】
ステップＳ３２０では、発信端末３１が２００＿ＯＫメッセージに応答してＡＣＫメッセージを送信し、このＡＣＫメッセージが発側ネットワーク２１、コアネットワーク１０、および着側ネットワーク２２を介して着信端末３２に到達する。発信端末３１から発側ＡＳ１３へのＡＣＫメッセージの伝送を特にステップＳ３２１として示す。ステップＳ３２０，Ｓ３２１の処理は、処理フローＳ１でのステップＳ１２０，Ｓ１２１と同じである。
【００６２】
次に、図７を参照しながら、通話開始タイミングをユーザに伝える処理の一例を処理フローＳ４として説明する。ステップＳ４０１〜Ｓ４０６の処理は、処理フローＳ２でのステップＳ２０１〜Ｓ２０６と同じである。
【００６３】
上述したステップＳ３２１において発信端末３１から発側ＡＳ１３にＡＣＫメッセージが伝送されると、ステップＳ４０７においてメッセージ制御部１３３が、発信端末３１で再生させるメッセージ（発側メッセージ）と、着信端末３２で再生されるメッセージ（着側メッセージ）とを決定する。発側メッセージおよび着側メッセージのいずれも、呼の種類に対応するメッセージである。第１実施形態と同様に、メッセージ制御部１３３は、呼の種類と、メッセージと、再生時間とが互いに関連付けられたレコードを記憶するテーブルを参照して、判定された呼の種類に対応するメッセージを決定し、再生時間を特定する。決定される発側メッセージおよび着側メッセージは同じでもよいし異なってもよい。したがって、発側メッセージと着側メッセージとで再生時間が同じでもよいし異なってもよい。
【００６４】
ステップＳ４０８では、メッセージ制御部１３３が、発側メッセージを発信端末３１で再生させると共に着側メッセージを着信端末３２で再生させるためのメッセージ指示を発側ＭＣＥ１５に送信する。このメッセージ指示は、発側メッセージおよび着側メッセージを特定するために必要な情報を含む。
【００６５】
ステップＳ４０９では、メッセージ制御部１３３が、決定されたメッセージに対応するタイミング情報（言い換えると、判定された呼の種類に対応するタイミング情報）を発信端末３１に送信する。発信端末３１はそのタイミング情報を受信する。メッセージ制御部１３３は、発側メッセージの再生時間と着側メッセージの再生時間との双方に基づいて通話開始タイミングを設定し、その設定された通話開始タイミングを示すタイミング情報を送信してもよい。一例として、メッセージ制御部１３３は発側メッセージの再生時間と着側メッセージの再生時間とのうち長い方の再生時間に基づいて通話開始タイミングを設定してもよい。例えば、発側メッセージの再生時間が１０秒で着側メッセージの再生時間が１２秒であれば、メッセージ制御部１３３は、１２秒後に通話を開始できることができることを示すタイミング情報（着側メッセージに対応した通話開始タイミングを示すタイミング情報）を送信する。
【００６６】
ステップＳ４１０では、発信端末３１がそのタイミング情報に基づいて、通話開始タイミングをモニタ上に表示する。この処理は処理フローＳ２でのステップＳ２１０と同じである。通話開始タイミングが表示されることで、発信者は発側メッセージを確実に聞き取ることができない場合でも、視覚を通じて通話開始タイミングを知ることができる。
【００６７】
ステップＳ４１１では、発側ＭＣＥ１５が、発側ＡＳ１３からのメッセージ指示（ステップＳ４０８）に従って、発側メッセージを発信端末３１に送信するとともに、着側メッセージを着信端末３２に送信する。発信端末３１は発側メッセージを再生し、これにより発信者はその発側メッセージを聞き取ることができる。着信端末３２は着側メッセージを再生し、これにより着信者はその着側メッセージを聞き取ることができる。
【００６８】
上記実施形態において、メッセージ制御部１３３は、発信端末３１および着信端末３２のうちの一方の通信端末（第１通信端末）でのメッセージの再生に関する操作に応答して、該第１通信端末と他方の通信端末（第２通信端末）とのうちの少なくとも一つの通信端末での通話開始タイミングを更新してもよい。
【００６９】
例えば、メッセージ制御部１３３が着側メッセージの再生時間に基づいて設定した通話開始タイミングを発信端末３１上に表示させるためのタイミング情報を送信した後に、着信者が着信端末３２を操作して着側メッセージを途中で早送りまたは終了させたとする。この場合には、メッセージ制御部１３３はその操作に伴って変更される通話開始タイミングを発側ＭＣＥ１５から取得する。そして、メッセージ制御部１３３は、変更される通話開始タイミングを示す追加のタイミング情報を発信端末３１に送信することで、その変更される通話開始タイミングを発信端末３１上に表示させる。発信端末３１は追加のタイミング情報を受信し、その情報に基づいて変更後の通話開始タイミングを表示する。着信者が着側メッセージを早送りした場合には、通話が可能になるまでの時間が瞬間的に短縮されるように、通話開始タイミングが発信端末３１上に表示される。例えば、発信端末３１上では、通話開始まで残り５秒を示す表示が、残り２秒を示す表示に瞬間的に変わる。当然ながら、この例においてメッセージ制御部１３３は着信端末３２に対して同様の処理を実行してもよく、この場合には、通話が可能になるまでの時間が瞬間的に短縮されるように、通話開始タイミングが着信端末３２上に表示される。
【００７０】
上記実施形態ではコアネットワーク１０がＩＭＳネットワークであるが、本開示に係る呼制御システムは任意の種類のコアネットワークに適用されてもよい。これに関連して、本開示に係る呼制御システムはＳＩＰ以外の通信プロトコルを用いてもよい。
【００７１】
上記実施形態では発側ＡＳ１３を例として説明したが、発側ＡＳ１３の機能要素は別の通信制御装置に実装されてもよい。また、その機能要素は着側の通信制御装置（例えば着側ＡＳ１４）に実装されてもよい。すなわち、呼制御システムは発信端末および着信端末のうちの少なくとも一つの通信端末上に通話開始タイミングを表示させるために、該通話開始タイミングを示すタイミング情報を該少なくとも一つの通信端末に送信してもよい。
【００７２】
上記実施形態において発側ＡＳ１３に実装される機能要素の少なくとも一部は、発側ＡＳ１３以外の通信制御装置に実装されてもよい。
【００７３】
上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７４】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７５】
例えば、本開示の一実施の形態における通信制御装置は、本開示の処理を行うコンピュータとして機能してもよい。図８は、その通信制御装置（例えば発側ＡＳ１３）として機能するコンピュータ１００のハードウェア構成の一例を示す図である。コンピュータ１００は、物理的には、プロセッサ１００１、メモリ１００２、ストレージ１００３、通信装置１００４、入力装置１００５、出力装置１００６、バス１００７などを含んでもよい。
【００７６】
なお、以下の説明では、「装置」という文言は、回路、デバイス、ユニットなどに読み替えることができる。通信制御装置（例えば発側ＡＳ１３）のハードウェア構成は、図に示した各装置を１つ又は複数含むように構成されてもよいし、一部の装置を含まずに構成されてもよい。
【００７７】
通信制御装置（例えば発側ＡＳ１３）における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００７８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。
【００７９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、通信制御装置（例えば発側ＡＳ１３）の各機能要素は、メモリ１００２に格納され、プロセッサ１００１において動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００８０】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る方法を実施するために実行可能なプログラム（プログラムコード）、ソフトウェアモジュールなどを保存することができる。
【００８１】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００８２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。
【００８３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカ、LEDランプなど）である。なお、入力装置１００５及び出力装置１００６は、一体となった構成（例えば、タッチパネル）であってもよい。
【００８４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００８５】
また、コンピュータ１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８６】
以上説明したように、本開示の一側面に係る呼制御システムは、付加サービスを伴う呼を発信端末と着信端末との間で確立することが可能である。この呼制御システムは判定部および通知部を備える。判定部は、発信端末からの呼確立要求信号に応答して、要求された呼の種類を判定する。呼の種類は、付加サービスに関連して第１再生時間の第１メッセージが再生される第１呼と、付加サービスに関連して第２再生時間の第２メッセージが再生される第２呼とを含む。通知部は、判定された呼の種類に対応する再生時間に基づく通話開始タイミングを、発信端末および着信端末のうちの少なくとも一つの通信端末上に表示させるために、該通話開始タイミングを示すタイミング情報を該少なくとも一つの通信端末に送信する。
【００８７】
このような側面においては、要求された呼の種類に対応するメッセージの再生時間に基づく通話開始タイミングが発信端末および着信端末のうちの少なくとも一方に通知され、その通知を受けた通信端末上で表示される。この仕組みによって、呼の種類に対応した通話開始タイミングをユーザに通知することができる。
【００８８】
ユーザがメッセージを聞き取ることができるのであれば、ユーザはメッセージを聞いただけでも通話開始タイミングを知ることができる。しかし、ユーザの聴覚に障碍があったり、周囲の騒音が大きかったりするなどの理由で、ユーザがメッセージを確実に聞き取ることができない場面が生じ得る。このような場合でも、呼の種類に対応した通話開始タイミングが通信端末上に表示されるので、ユーザは視覚を通じて通話開始タイミングを知ることができる。
【００８９】
他の側面に係る呼制御システムでは、第１メッセージおよび第２メッセージのそれぞれが、発信端末で再生される発側メッセージと、着信端末で再生される着側メッセージとを含んでもよい。通知部は、発側メッセージの再生時間と着側メッセージの再生時間との双方に基づいて通話開始タイミングを設定し、設定された通話開始タイミングを少なくとも一つの通信端末上に表示させるために、該通話開始タイミングを示すタイミング情報を該少なくとも一つの通信端末に送信してもよい。付加サービスに関するメッセージが発信端末と着信端末との双方で再生される場合には、双方の側でその再生が終了しないと発信者および着信者は会話することができない。発側と着側との双方の再生時間に基づいて通話開始タイミングを設定することで、確実に会話を始めることができるタイミングをユーザに伝えることができる。
【００９０】
他の側面に係る呼制御システムは、通知部が、発側メッセージの再生時間と着側メッセージの再生時間とのうち長い方の再生時間に基づいて通話開始タイミングを設定してもよい。長い方の再生時間に従って通話開始タイミングを設定することで、確実に会話を始めることができるタイミングをユーザに伝えることができる。
【００９１】
他の側面に係る呼制御システムでは、発信端末および着信端末のうちの一方が第１通信端末であり、発信端末および着信端末のうちの他方が第２通信端末であってもよい。通知部は、第１通信端末でのメッセージの再生に関する操作に応答して、該操作に伴って変更される通話開始タイミングを取得し、変更される通話開始タイミングを、第１通信端末および第２通信端末のうちの少なくとも一つの通信端末上に表示させるために、該変更される通話開始タイミングを示す追加のタイミング情報を該少なくとも一つの通信端末に送信してもよい。この仕組みにより、メッセージの再生に関する操作に応じて少なくとも一つの通信端末で通話開始タイミングの表示が更新されるので、通信端末でそのタイミングを正確に表示し続けることが可能になる。
【００９２】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【００９３】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００９４】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９５】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００９６】
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００９７】
情報等は、上位レイヤ（又は下位レイヤ）から下位レイヤ（又は上位レイヤ）へ出力され得る。複数のネットワークノードを介して入出力されてもよい。
【００９８】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００９９】
判定は、１ビットで表される値（０か１か）によって行われてもよいし、真偽値（Boolean：true又はfalse）によって行われてもよいし、数値の比較（例えば、所定の値との比較）によって行われてもよい。
【０１００】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０５】
本開示において使用する「システム」及び「ネットワーク」という用語は、互換的に使用される。
【０１０６】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１０７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１０８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１０９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、基地局が有する機能をユーザ端末が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１１４】
同様に、本開示におけるユーザ端末は、基地局で読み替えてもよい。この場合、ユーザ端末が有する機能を基地局が有する構成としてもよい。
【０１１５】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１１７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１８】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１１９】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２０】
本開示において、例えば、英語でのa,  an及びtheのように、翻訳により冠詞が追加された場合、本開示は、これらの冠詞の後に続く名詞が複数形であることを含んでもよい。
【０１２１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【符号の説明】
【０１２２】
１，１Ａ…呼制御システム、１０，１０Ａ…コアネットワーク、１１…発側ＣＳＣＦ、１２…着側ＣＳＣＦ、１３…発側ＡＳ、１４…着側ＡＳ、１５…発側ＭＣＥ、１６…発側ＳＭＳ−ＧＷ、１７…着側ＭＣＥ、１８…着側ＳＭＳ−ＧＷ、２１…発側ネットワーク、２２…着側ネットワーク、３１…発信端末、３２…着信端末、４１…発側Ｗｅｂサーバ、４２…着側Ｗｅｂサーバ、１３１…サービス制御部、１３２…呼判定部、１３３…メッセージ制御部（通知部）。
【図１】
2020096295.tif 000003
【図２】
2020096295.tif 000004
【図３】
2020096295.tif 000005
【図４】
2020096295.tif 000006
【図５】
2020096295.tif 000007
【図６】
2020096295.tif 000008
【図７】
2020096295.tif 000009
【図８】
2020096295.tif 000010